(57)【要約】【課題】送信側から受信側へ映像を伝送することにより映像を再生する際の利便性を向上させる映像受信装置等を提供する。【解決手段】映像信号を外部機器から受信する映像受信部と、前記外部機器が映像信号の送信を停止するモードに移行することを阻止するコマンドを前記外部機器と前記映像受信部の通信接続状態に基づいて送信するコマンド送信部と、を備える映像受信装置としている。【選択図】図１
2015104101.tif 000002
【特許請求の範囲】
【請求項１】
映像信号を外部機器から受信する映像受信部と、
前記外部機器が映像信号の送信を停止するモードに移行することを阻止するコマンドを前記外部機器と前記映像受信部の通信接続状態に基づいて送信するコマンド送信部と、
を備える映像受信装置。
【請求項２】
前記外部機器は、操作が一定時間なされないと動画の前記映像信号の送信を停止する前記モードに移行するものであることを特徴とする請求項１に記載の映像受信装置。
【請求項３】
前記映像受信部により受信された映像信号に基づいて前記モードへの移行を無効とするか否かを確認する確認画面を表示部に表示させる表示制御部を更に備え、
前記コマンド送信部は、前記確認画面における選択決定操作に対応する前記コマンドを送信することを特徴とする請求項１又は請求項２に記載の映像受信装置。
【請求項４】
前記コマンド送信部は、前記外部機器が前記モードに移行するまでの時間よりも短い時間間隔で前記コマンドを送信することを特徴とする請求項１又は請求項２に記載の映像受信装置。
【請求項５】
前記外部機器から前記外部機器が前記モードに移行するまでの時間の情報を取得する取得部を更に備え、
前記コマンド送信部は、取得された前記時間の情報に基づいた前記時間間隔で前記コマンドを送信することを特徴とする請求項４に記載の映像受信装置。
【請求項６】
外部機器に対して映像信号を送信する映像送信部と、
映像信号の送信を停止するモードに移行する設定を前記映像送信部と前記外部機器の通信接続状態に基づいて有効から無効へ変更する設定変更部と、
を備える映像送信装置。
【請求項７】
前記モードへの移行を無効とするか否かを確認する確認画面を表示部に表示させる表示制御部を更に備え、
前記設定変更部は、前記確認画面における選択決定操作に応じて設定を変更することを特徴とする請求項６に記載の映像送信装置。
【請求項８】
前記モードに移行する設定が有効であると、操作が一定時間なされないと動画の前記映像信号の送信を停止する前記モードに移行することを特徴とする請求項６又は請求項７に記載の映像送信装置。
【請求項９】
映像送信装置から映像受信装置へ映像信号を送信するステップと、
前記映像受信装置が前記映像送信装置と自身の通信接続状態を判断するステップと、
前記映像送信装置が映像信号の送信を停止するモードに移行することを阻止するコマンドを前記通信接続状態の判断結果に基づいて前記映像受信装置から前記映像送信装置へ送信するステップと、
を備える映像再生方法。
【請求項１０】
映像送信装置から映像受信装置へ映像信号を送信するステップと、
前記映像送信装置が自身と前記映像受信装置の通信接続状態を判断するステップと、
自身が映像信号の送信を停止するモードに移行する設定を前記映像送信装置が前記通信接続状態の判断結果に基づいて有効から無効へ変更するステップと、
を備える映像再生方法。
【発明の詳細な説明】
【技術分野】
【０００１】
本発明は、映像送受信システムに関する。
【背景技術】
【０００２】
従来、機器同士を無線接続により接続し、映像を機器間で伝送できる技術が知られている。例えば、Wi-Fiネットワーク経由で映像を伝送できるMiracast（登録商標）と呼ばれる通信規格が存在している。
【０００３】
Miracastを用いれば例えば、スマートフォンやＰＣ（パーソナルコンピュータ）からテレビ装置にWi-Fiネットワーク経由で映像を伝送して、送信側であるスマートフォンやＰＣに表示される映像と同じ映像を受信側であるテレビ装置に表示することができる。即ち、ミラーリング表示が可能となっている。
【先行技術文献】
【特許文献】
【０００４】
【特許文献１】特開２００２−３１８６４４号公報
【特許文献２】特開２０１０−１７６３０７号公報
【特許文献３】特開２０１０−２８７０１７号公報
【発明の概要】
【発明が解決しようとする課題】
【０００５】
しかしながら、上記スマートフォンやＰＣから上記テレビ装置に映像を伝送している途中に、スマートフォンやＰＣで一定時間操作がされないことにより省電力モードに移行してしまい、テレビ装置において映像表示が中断されてしまうことがあった。特に動画を再生中は、動画を見ているユーザが操作を行わない可能性が高く、スマートフォンやＰＣが省電力モードに移行する可能性が高かった。
【０００６】
この場合、機器の省電力モードを解除する等の操作が必要となり、使い勝手が悪くなっていた。また、ユーザが映像を見ている途中で映像表示が中断されるので、ユーザにとって煩わしいという問題もあった。
【０００７】
なお、省電力モードへ移行する機器に関する発明は、例えば特許文献１〜３に開示されているが、いずれも上記問題点を解決するものではない。
【０００８】
上記状況に鑑み、本発明は、送信側から受信側へ映像を伝送することにより映像を再生する際の利便性を向上させる映像受信装置、映像送信装置、及び映像再生方法を提供することを目的とする。
【課題を解決するための手段】
【０００９】
上記目的を達成するために本発明の一態様に係る映像受信装置は、映像信号を外部機器から受信する映像受信部と、前記外部機器が映像信号の送信を停止するモードに移行することを阻止するコマンドを前記外部機器と前記映像受信部の通信接続状態に基づいて送信するコマンド送信部と、を備える構成としている。
【００１０】
このような構成によれば、外部機器が映像信号の送信を停止するモードに移行することで外部機器から映像受信装置への映像伝送による映像再生が停止されることを抑止でき、再生映像を見ているユーザにとって利便性が向上する。
【００１１】
また、上記構成において、前記外部機器は、操作が一定時間なされないと動画の前記映像信号の送信を停止する前記モードに移行するものであることとしてもよい。
【００１２】
このような構成によれば、ユーザは動画を見ている際に外部機器を操作しないことが多いが、そのような場合でも動画の映像信号の送信を停止するモードへ移行することが阻止されるので、動画再生が中断されることを抑止できる。従って、ユーザにとって利便性が高いものとなる。
【００１３】
また、上記いずれかの構成において、前記映像受信部により受信された映像信号に基づいて前記モードへの移行を無効とするか否かを確認する確認画面を表示部に表示させる表示制御部を更に備え、前記コマンド送信部は、前記確認画面における選択決定操作に対応する前記コマンドを送信することとしてもよい。
【００１４】
このような構成によれば、ユーザは表示部に表示された確認画面において上記モードへの移行を無効とする選択決定操作を行えば、外部機器において上記モードへの移行が無効となる。
【００１５】
また、上記いずれかの構成において、前記コマンド送信部は、前記外部機器が前記モードに移行するまでの時間よりも短い時間間隔で前記コマンドを送信することとしてもよい。
【００１６】
このような構成によれば、一度コマンドを送信し、外部機器が上記モードに移行するまでの時間が経過する前に再度コマンドが送信されるので、上記モードへ移行しないように維持できる。
【００１７】
また、上記構成において、前記外部機器から前記外部機器が前記モードに移行するまでの時間の情報を取得する取得部を更に備え、前記コマンド送信部は、取得された前記時間の情報に基づいた前記時間間隔で前記コマンドを送信することとしてもよい。
【００１８】
このような構成によれば、外部機器に応じて適切な頻度でコマンドを送信できる。
【００１９】
また、上記目的を達成するために本発明の一態様に係る映像送信装置は、外部機器に対して映像信号を送信する映像送信部と、映像信号の送信を停止するモードに移行する設定を前記映像送信部と前記外部機器の通信接続状態に基づいて有効から無効へ変更する設定変更部と、を備える構成としている。
【００２０】
このような構成によれば、映像送信装置が映像信号の送信を停止するモードに移行することで映像送信装置から外部機器への映像伝送による映像再生が停止されることを抑止でき、再生映像を見ているユーザにとって利便性が向上する。
【００２１】
また、上記構成において、前記モードへの移行を無効とするか否かを確認する確認画面を表示部に表示させる表示制御部を更に備え、前記設定変更部は、前記確認画面における選択決定操作に応じて設定を変更することとしてもよい。
【００２２】
このような構成によれば、ユーザは表示部に表示された確認画面において上記モードへの移行を無効とする選択決定操作を行えば、上記モードへの移行が無効に設定変更される。
【００２３】
また、上記いずれかの構成において、前記モードに移行する設定が有効であると、操作が一定時間なされないと動画の前記映像信号の送信を停止する前記モードに移行することとしている。
【００２４】
このような構成によれば、ユーザは動画を見ている際に映像送信装置を操作しないことが多いが、そのような場合でも動画の映像信号の送信を停止するモードへ移行することが阻止されるので、動画再生が中断されることを抑止できる。従って、ユーザにとって利便性が高いものとなる。
【００２５】
また、上記目的を達成するために本発明の一態様に係る映像再生方法は、映像送信装置から映像受信装置へ映像信号を送信するステップと、前記映像受信装置が前記映像送信装置と自身の通信接続状態を判断するステップと、前記映像送信装置が映像信号の送信を停止するモードに移行することを阻止するコマンドを前記通信接続状態の判断結果に基づいて前記映像受信装置から前記映像送信装置へ送信するステップと、を備える構成としている。
【００２６】
また、上記目的を達成するために本発明の一態様に係る映像再生方法は、映像送信装置から映像受信装置へ映像信号を送信するステップと、前記映像送信装置が自身と前記映像受信装置の通信接続状態を判断するステップと、自身が映像信号の送信を停止するモードに移行する設定を前記映像送信装置が前記通信接続状態の判断結果に基づいて有効から無効へ変更するステップと、を備える構成としている。
【発明の効果】
【００２７】
本発明によると、送信側から受信側へ映像を伝送することにより映像を再生する際の利便性を向上させることができる。
【図面の簡単な説明】
【００２８】
【図１】本発明の一実施形態に係る映像送受信システムの概略外観図である。
【図２】本発明の一実施形態に係るスマートフォンのブロック構成図である。
【図３】本発明の一実施形態に係るテレビ装置のブロック構成図である。
【図４】動画再生時の省電力モード移行防止制御に係る第１実施形態のフローチャートである。
【図５】第１実施形態における確認画面の一例を示す図である。
【図６】動画再生時の省電力モード移行防止制御に係る第３実施形態のフローチャートである。
【図７】動画再生時の省電力モード移行防止制御に係る第４実施形態のフローチャートである。
【図８】動画再生時の省電力モード移行防止制御に係る第５実施形態のフローチャートである。
【発明を実施するための形態】
【００２９】
以下に本発明の一実施形態について図面を参照して説明する。ここでは、Miracastに対応したスマートフォンとテレビ装置から成るシステムを一例として説明する。
【００３０】
本発明の一実施形態に係るスマートフォン（映像送信装置）とテレビ装置（映像受信装置）から成るシステムの概略外観を図１に示す。図１に示すスマートフォン１０は外観で平板状の筐体を有し、当該筐体の前面側にタッチパネル１０３及び液晶パネル１０４が一体となった表示入力部を備える。
【００３１】
スマートフォン１０は、Miracastによりテレビ装置２０と一対一で無線接続され、映像をテレビ装置２０に伝送できる。これにより、スマートフォン１０に表示された映像と同じ内容の映像をテレビ装置２０の表示部２０６に表示させることができ、ミラーリング表示を実現している。
【００３２】
スマートフォン１０のブロック構成を図２に示す。図２に示すように、スマートフォン１０は、アンテナ１０１、第１無線通信部１０２、タッチパネル１０３、液晶パネル１０４、バックライト１０５、カメラ部１０６、操作部１０７、記憶部１０８、スピーカ１０９、マイク１１０、第２無線通信部１１１、電源部１１２、及び制御部１１３を備えている。
【００３３】
第１無線通信部１０２は、移動通信網における基地局に対し無線通信を行う。この無線通信を用いて、音声データ、映像データ、電子メールデータ等の送受信や、Ｗｅｂデータやストリーミングデータ等の受信を行う。
【００３４】
液晶パネル１０４は制御部１１４によって駆動され、表示させる映像に応じて各画素に対応する液晶が駆動されることで光の透過率が調整される。バックライト１０５は、液晶パネル１０４を背後から照明するものであり、例えばＬＥＤと導光板を用いたエッジ型などが採用される。
【００３５】
タッチパネル１０３は、液晶パネル１０４の表示画面上に表示される映像を視認可能に構成されて液晶パネル１０４上に載置され、ユーザの指などの操作物のタッチを検出する。タッチパネル１０３から出力された検出信号に基づき、制御部１１３はタッチパネル１０３上の操作位置を検出する。
【００３６】
カメラ部１０６は、ＣＭＯＳなどの撮像素子を用いて電子撮像するものであり、撮像された画像を例えばＪＰＥＧ形式で圧縮し、圧縮データを記憶部１０８に記憶させることができる。
【００３７】
操作部１０７は、ユーザからの入力を受け付けるハードウェアキーであり、例えば図１に示すように表示入力部（１０３、１０４）の下側に設けられる。
【００３８】
記憶部１０８は、制御部１１３のための制御プログラムや制御データ、通信相手の名称や電話番号などを対応づけたアドレスデータ、送受信した電子メールデータ、ＷｅｂブラウジングによりダウンロードしたＷｅｂデータや、ダウンロードしたコンテンツデータを記憶し、またストリーミングデータなどを一時的に記憶するものである。なお、記憶部１０８は、例えばフラッシュメモリ、ＲＡＭ、ＲＯＭなどにより構成される。
【００３９】
マイク１１０は、ユーザが発した音声を取り込み、取り込まれた音声は制御部１１３により所定の処理を行われ、第１無線通信部１０２により基地局へ送信される。また、第１無線通信部１０２により受信された音声は、制御部１１３により所定の処理を行われてスピーカ１０９から出力される。これにより、ユーザは通話を行うことができる。なお、スピーカ１０９は、通話の音声に限らず、例えば第１無線通信部１０２により受信されたストリーミングデータに基づく音声など各種音声を出力できる。
【００４０】
第２無線通信部１１１は、Miracastに準じた無線通信を行うものであり、詳細は後述する。
【００４１】
電源部１１２は、スマートフォン１０の各部に不図示であるバッテリに蓄電された電力を供給する回路である。
【００４２】
制御部１１３は、マイクロプロセッサを備え、記憶部１０８に記憶された制御プログラムや制御データに従って動作し、スマートフォン１０の各部を統括制御するものである。
【００４３】
次に、テレビ装置２０のブロック構成を図３に示す。図３に示すように、テレビ装置２０は、チューナ２０２、復調部２０３、分離部２０４、デコーダ２０５、表示部２０６、制御部２０７、リモコン受光部２０８、及び無線通信部２０９を備えている。チューナ２０２には、アンテナ２０１が接続される。
【００４４】
チューナ２０２は、例えば、地上デジタル放送、ＢＳデジタル放送、ＣＳデジタル放送の少なくともいずれかに対応するものであり、アンテナ２０１から入力された高周波の放送信号から所望のチャンネルの放送信号を選局する。
【００４５】
復調部２０３は、チューナ２０２において選局されたチャンネルの放送信号に対してデジタル復調及び誤り訂正などの処理を行い、トランスポートストリームを生成し、分離部２０４へ出力する。
【００４６】
分離部（デマルチプレクサ）２０４は、復調部２０３から入力されるトランスポートストリームを映像ストリーム、音声ストリーム、ＳＩ（Service Information）、字幕データ等に分離する。分離部２０４の映像出力は、デコーダ２０５に入力される。なお、分離部２０４からのその他の出力を処理する構成については図示を省略している。
【００４７】
デコーダ２０５は、分離部２０４から入力される映像ストリームに対してデコードを行い、生成された映像データを表示部２０６に出力する。表示部２０６は、例えば液晶ディスプレイから構成され、デコーダ２０５から入力された映像データに基づき映像を表示する。これにより、放送映像が表示部２０６に表示される。
【００４８】
制御部２０７は、テレビ装置２０を統括的に制御する制御装置である。リモコン受光部２０８は、リモコン装置３０から操作に応じた赤外線信号等の操作信号を受信し、受信した操作信号をリモコンコードに変換し、リモコンコードを制御部２０７へ送信する。制御部２０７は、送信されたリモコンコードに応じた制御動作を行う。これにより、ユーザはリモコン装置３０によってテレビ装置２０を操作することができる。
【００４９】
ここで、先述の通り、本システムはMiracastによる映像伝送に対応しており、これについて説明する。まず、ユーザによりスマートフォン１０のタッチパネル１０３で所定の操作がされると、制御部１１３は第２無線通信部１１１を介して接続可能なデバイスを検索する。ここで、テレビ装置２０では、制御部２０７がスマートフォン１０からの問い合わせに対して無線通信部２０９及び第２無線通信部１１１を介して制御部１１３に応答する。そして、検索されたデバイスが制御部１１３によって液晶パネル１０４に表示される。この表示にテレビ装置２０が含まれるので、ユーザがタッチパネル１０３によってテレビ装置２０を選択すると、制御部１１３は第２無線通信部１１１及び無線通信部２０９を介して制御部２０７との接続を確立する。
【００５０】
接続が確立すると、制御部１１３は、液晶パネル１０４に表示させる映像の映像データに対してエンコードを行い、エンコード後の映像データを第２無線通信部１１１を介してテレビ装置２０へ送信する。テレビ装置２０では、制御部２０７が無線通信部２０９を介して送信された映像データを受信し、制御部２０７は受信された映像データをデコードし、デコード後の映像データに基づいて表示部２０６に映像を表示させる。
【００５１】
これにより、スマートフォン１０の液晶パネル１０４と、テレビ装置２０の表示部２０６に同じ内容の映像が表示され、ミラーリング表示が実現される。例えば、スマートフォン１０に表示されたＯＳ画面（ホーム画面等）やストリーミング等による動画などがそのままテレビ装置２０にも表示されることになる。よって、ユーザは液晶パネル１０４よりも大画面である表示部２０６でミラーリング表示された映像を見ることができる。
【００５２】
＜動画再生時の省電力モード移行防止制御に係る第１実施形態＞
以上のような構成であるスマートフォン１０及びテレビ装置２０から成るシステムにおける動画再生時の省電力モード設定制御について、図４に示すフローチャートを用いて説明する。
【００５３】
スマートフォン１０の例えばタッチパネル１０３において動画再生開始操作がされた場合、図４に示すフローチャートが開始される。動画再生は、例えばyoutube（登録商標）などのストリーミングによるものが挙げられる。
【００５４】
まず、ステップＳ１で、制御部１１３は、スマートフォン１０の省電力モードへの移行が有効に設定されているか否かを判定する。例えば液晶パネル１０４に表示された設定画面においてタッチパネル１０３により有効・無効が設定されると、設定情報が記憶部１０８に記憶されるので、制御部１１３が設定情報を確認すればよい。
【００５５】
省電力モードへの移行については例えば、タッチパネル１０３及び操作部１０７において一定時間何ら操作がされない場合、制御部１１３が液晶パネル１０４を暗転駆動し（黒画面表示用の駆動）、バックライト１０５を消灯させる。このとき、制御部１１３がMiracastにより第２無線通信部１１１を介してテレビ装置２０へ映像を伝送している場合は、制御部１１３は映像の伝送を停止する。映像の伝送が停止されると、テレビ装置２０側では例えば、制御部２０７が表示部２０６を暗転駆動し、表示部２０６ではミラーリング表示された映像から黒画面へ表示が変更される。
【００５６】
もし省電力モードへの移行が有効に設定されている場合は（ステップＳ１のＹ）、ステップ２へ進み、制御部１１３は、Miracastによる接続が確立されているか否かを判定する。もし、Miracastによる接続が確立されている場合は（ステップ２のＹ）、ステップＳ３に進み、制御部１１３は、省電力モードへの移行を無効とするか否かをユーザに確認する画面を液晶パネル１０４に表示させる。ここでは例えば、図５に示すような無効とするか否かを選択するための項目を含む画面が表示される。
【００５７】
上記確認画面において、省電力モードへの移行を無効とすることが選択されると（ステップＳ４のＹ）、ステップＳ５に進み、制御部１１３は、省電力モードへの移行を有効から無効へ一時的に設定変更する。
【００５８】
そして、制御部１１３は、液晶パネル１０４での動画再生を開始すると共に、Miracastにより第２無線通信部１１１を介して動画映像をテレビ装置２０へ伝送することを開始する。これにより、液晶パネル１０４で表示された動画と同じ内容の動画がテレビ装置２０の表示部２０６でミラーリング表示される。ステップＳ５で省電力モードへの移行が無効に一時的に設定されているので、タッチパネル１０３及び操作部１０７において一定時間何ら操作がされない場合でも、映像の伝送が停止されることはない。なお、動画再生が終了すると、制御部１１３は、省電力モードへの移行を無効から有効に設定し直す。
【００５９】
従って、テレビ装置２０で動画再生中に動画再生が停止されることによるユーザの煩わしさを無くすことができる。動画再生中にユーザはスマートフォン１０を操作しないことが多いので、利便性が向上する。また、動画再生を開始させる際に、自動的に確認画面が表示されて省電力モードへの移行を無効に設定できるので、あらかじめユーザが設定画面等から設定する必要が無くなる。
【００６０】
なお、ステップＳ１で省電力モードへの移行が無効に設定されている場合は（ステップＳ１のＮ）、そのまま動画再生が開始される。この場合は、Miracastによる接続がされているか否かに関わらず、動画再生が中断されることはない。
【００６１】
また、ステップ２でMiracastによる接続が確立されていない場合も（ステップＳ２のＮ）、そのまま動画再生が開始される。この場合は、スマートフォン１０で何ら操作がされないとき、省電力モードへ移行されるので、スマートフォン１０での動画再生が中断される。
【００６２】
また、ステップＳ４で確認画面において省電力モードへの移行を無効としないことが選択された場合も（ステップＳ４のＮ）、そのまま動画再生が開始される。この場合、スマートフォン１０で何ら操作がされないとき、省電力モードへ移行されるので、Miracastにより接続されたテレビ装置２０側での動画再生が中断される。
【００６３】
＜動画再生時の省電力モード移行防止制御に係る第２実施形態＞
次に、上記第１実施形態の変形例としての第２実施形態について説明する。本実施形態では、スマートフォン１０側のフローチャートとしては上述した図４と同様となる。スマートフォン１０において動画再生開始操作がされると図４のフローチャートが開始される。
【００６４】
省電力モードへの移行が有効に設定され（ステップＳ１のＹ）、且つMiracastによる接続が確立されている場合（ステップＳ２のＹ）、ステップＳ３でスマートフォン１０の液晶パネル１０４に省電力モードへの移行を無効とするか否かをユーザに確認する画面が表示される。ここでは、Miracastにより接続されているので、制御部１１３が第２無線通信部１１１を介して確認画面の映像をテレビ装置２０へ伝送し、テレビ装置２０の表示部２０６に確認画面がミラーリング表示される。
【００６５】
ここで、Miracastによる接続が確立されたときに、テレビ装置２０では、制御部２０７がリモコン装置３０での操作に対応したコマンドを無線通信部２０９を介してスマートフォン１０へ伝送することが可能な状態となる。従って、表示部２０６に確認画面が表示された状態で、ユーザがリモコン装置３０で例えばカーソルキーを操作すると、操作に対応したコマンドがスマートフォン１０へ伝送され、確認画面における選択項目が選択可能である。
【００６６】
確認画面において省電力モードへの移行を無効とすることが選択され、リモコン装置３０で例えば決定キーが操作され、操作に応じたコマンドがスマートフォン１０へ伝送されると（ステップＳ４のＹ）、制御部１１３は、ステップＳ５で省電力モードへの移行を無効に一時的に設定変更する。そして、動画再生が開始される。
【００６７】
一方、確認画面において省電力モードへの移行を無効としないことが選択され、リモコン装置３０で決定操作がされた場合は（ステップＳ４のＮ）、そのまま動画再生が開始される。
【００６８】
このように本実施形態によれば、ユーザはテレビ装置２０に表示された確認画面を見つつ、リモコン装置３０によって省電力モードへの移行を無効とするか否かを設定できる。
【００６９】
＜動画再生時の省電力モード移行防止制御に係る第３実施形態＞
次に、上記第１実施形態の別の変形例としての第３実施形態について説明する。本実施形態におけるスマートフォン１０側のフローチャートを図６に示す。スマートフォン１０において動画再生開始操作がされると図６のフローチャートが開始される。
【００７０】
まず、ステップＳ１１で、制御部１１３は、制御部１１３は、スマートフォン１０の省電力モードへの移行が有効に設定されているか否かを判定する。もし有効に設定されている場合は（ステップＳ１１のＹ）、ステップ１２に進み、制御部１１３は、Miracastによる接続が確立されているか否かを判定する。
【００７１】
もし接続が確立されている場合は（ステップＳ１２のＹ）、ステップＳ１３に進み、制御部１１３は、そのまま省電力モードへの移行を有効から無効へ一時的に設定変更する。そして、動画再生が開始される。
【００７２】
即ち、本実施形態では、第１実施形態のように確認画面を表示することなく、自動的に省電力モードへの移行を有効から無効へ一時的に設定変更する。これにより、ユーザが特別な操作をすることなく、動画再生時にスマートフォン１０が省電力モードへ移行することを防止できる。
【００７３】
＜動画再生時の省電力モード移行防止制御に係る第４実施形態＞
次に、テレビ装置２０を主体とした映像再生時の省電力モード移行防止制御について、図７に示すフローチャートを用いて説明する。図７に示すフローチャートは、テレビ装置２０側の処理を示す。
【００７４】
Miracastによりテレビ装置２０と接続されたスマートフォン１０において動画再生開始操作がされると、図７のフローチャートは開始される（このとき、動画のミラーリング表示が開始される）。
【００７５】
ステップＳ２１で、テレビ装置２０の制御部２０７は、Miracastによる接続が確立されているか否かを判定する。もし接続が確立されていれば（ステップＳ２１のＹ）、ステップＳ２２に進み、制御部２０７は、一定時間間隔で無線通信部２０９を介してコマンドをスマートフォン１０へ伝送する。
【００７６】
ここで、上記一定時間としては、スマートフォン１０において操作がされない場合に省電力モードへ移行するまでの一定時間よりも短い所定時間に設定する。なお、スマートフォン１０の省電力モードへ移行するまでの一定時間がスマートフォン１０の種類によって異なる場合は、異なる一定時間のうち最小の時間よりも上記一定時間を短く設定すればよい。
【００７７】
また、スマートフォン１０へ伝送する上記コマンドは、例えばリモコン装置３０におけるカーソルキーなどの再生に影響しないキーに対応したコマンドとすればよい。
【００７８】
これにより、一度コマンドをスマートフォン１０へ送信するとスマートフォン１０の制御部１１３は操作がされたと判断する。そして、スマートフォン１０において操作がされない場合に省電力モードへ移行するまでの一定時間が経過する前にコマンドを再度スマートフォン１０へ送信するので、スマートフォン１０の制御部１１３は操作がなされたとして省電力モードへの移行は行わない。従って、ユーザがスマートフォン１０において操作をしない場合でも、テレビ装置２０でのミラーリング表示による動画再生が中断されることを防止できる。
【００７９】
ステップＳ２２の後は、ステップＳ２１へ戻り、Miracastによる接続が確立されている間はコマンド送信が継続される。そして、Miracastによる接続が解除されると（ステップＳ２１のＮ）、図７のフローチャートは終了する。
【００８０】
＜動画再生時の省電力モード移行防止制御に係る第５実施形態＞
次に、上記第４実施形態の変形例としての第５実施形態について説明する。本実施形態におけるテレビ装置２０側の処理を示すフローチャートを図８に示す。
【００８１】
Miracastによりテレビ装置２０と接続されたスマートフォン１０において動画再生開始操作がされると、図８のフローチャートは開始される（このとき、動画のミラーリング表示が開始される）。
【００８２】
まずステップＳ３１で、テレビ装置２０の制御部２０７は、無線通信部２０９を介してスマートフォン１０から、操作がされない場合に省電力モードへ移行するまでの一定時間（以下、移行時間）の情報を取得する。
【００８３】
次に、ステップＳ３２で、制御部２０７は、Miracastによる接続が確立されているか否かを判定する。もし接続が確立されていれば（ステップＳ３２のＹ）、ステップＳ３３に進み、制御部２０７は、ステップＳ３１で取得した移行時間よりも短い時間間隔で無線通信部２０９を介してコマンドをスマートフォン１０へ伝送する。
【００８４】
このような本実施形態によっても、ミラーリング表示での動画再生中に、コマンド送信によってスマートフォン１０が省電力モードへ移行することを防止できる。特に、スマートフォン１０から取得した移行時間に基づいた時間間隔でコマンド送信するので、スマートフォン１０に応じて適切な頻度でコマンド送信できる。
【００８５】
以上、本発明の実施形態について説明したが、本発明の趣旨の範囲内であれば、実施形態は種々変形が可能である。
【００８６】
例えば、映像送信装置としてはスマートフォンに限らず、ＰＣ（パーソナルコンピュータ）等であってもよい。また、映像受信装置としてはテレビ装置に限らず、ディスプレイが外部に接続されたようなＨＤＤレコーダやブルーレイディスクレコーダ等であってもよい。
【符号の説明】
【００８７】
１０  スマートフォン
１０１  アンテナ
１０２  第１無線通信部
１０３  タッチパネル
１０４  液晶パネル
１０５  バックライト
１０６  カメラ部
１０７  操作部
１０８  記憶部
１０９  スピーカ
１１０  マイク
１１１  第２無線通信部
１１２  電源部
１１３  制御部
２０  テレビ装置
２０１  アンテナ
２０２  チューナ
２０３  復調部
２０４  分離部
２０５  デコーダ
２０６  表示部
２０７  制御部
２０８  リモコン受光部
２０９  無線通信部
３０  リモコン装置
【図１】
2015104101.tif 000003
【図２】
2015104101.tif 000004
【図３】
2015104101.tif 000005
【図４】
2015104101.tif 000006
【図５】
2015104101.tif 000007
【図６】
2015104101.tif 000008
【図７】
2015104101.tif 000009
【図８】
2015104101.tif 000010